(57)【要約】      （修正有）【課題】捕獲した害虫を確実に外に逃がさないようにするとともに、捕獲した害虫又は害虫の死骸を効率よく、かつ、捕獲者が害虫又は害虫の死骸の不気味さから、気分を害さず、害虫の捕獲作業を行える補虫器具を提供する。【解決手段】補虫器具１００を、テーパ状に形成された筒体２００と収容体３００とから構成し、筒体２００には、膨出部６ａ、７ａ、７ｂと折り込み線１２ａ、１３ａ、１３ｂとを設け、収容体３００には、複数の孔が設けられる収容部と開閉弁を有する口部とを設ける。【選択図】図８
2015084665.tif 000002
【特許請求の範囲】
【請求項１】
両端が開口しテーパ状に形成してなる筒体と、
該筒体の内部に装着される収容部と口部を有する収容体であって、
該収容部には複数の孔が設けられており、
該口部には開閉弁が形成されている収容体と
を備えることを特徴とする補虫器具。
【請求項２】
該筒体の両端の縁部のそれぞれに対向する膨出部が設けられていることを特徴とする請求項１に記載の補虫器具。
【請求項３】
該膨出部が円弧状に形成されるとともに、
該筒体の両端部近傍に該膨出部によって該筒体の開口部を閉塞可能にする折り込み線が設けられていることを特徴とする請求項２に記載の補虫器具。
【請求項４】
該筒体が非透明体からなることを特徴とする請求項１乃至３のいずれかに記載の補虫器具。
【請求項５】
該開閉弁が三角形状であって、該収容体の口部周縁に放射状に設けられていることを特徴とする請求項１乃至４のいずれかに記載の補虫器具。
【発明の詳細な説明】
【技術分野】
【０００１】
本発明は、ゴキブリ、クモ等の害虫又は害虫の死骸を捕獲するための捕虫器具に関する。
【背景技術】
【０００２】
従来、ゴキブリやクモ等の害虫（以下、「害虫」という。）を捕獲する際には、捕獲網等が用いられることが多く、また、害虫の死骸を除去する際には、一度、ちりとり等で害虫の死骸を拾い上げ、これをゴミ箱に捨てること等が多く行われていた。
【０００３】
しかし、これらの方法では、効率よく害虫を捕獲することができず、また、害虫又は害虫の死骸の不気味さから、捕獲者が気分を害してしまうという問題があった。
【０００４】
このような観点から、電気掃除機等の吸引機のホース先端部に装着する吸引捕虫機の補助具が知られている。
【０００５】
この吸引捕虫機の補助具の構造として、特許文献１には、透明もしくは半透明なプラスチックなどからなる中空状の補虫筒と、先端が開口し、底に複数個の小さい穴を穿設してなるカプセルと、電気掃除機などの吸引力によって虫を前記カプセルの開口部に吸い込んでから、この開口部に嵌着する栓体とからなり、害虫を電気掃除機などの吸引力により、前記カプセル中に捕獲することができるようにしたものが記載されている。
【先行技術文献】
【特許文献】
【０００６】
【特許文献１】特許第２９５８００２号公報
【発明の概要】
【発明が解決しようとする課題】
【０００７】
しかし、特許文献１に記載されている吸引捕虫機の補助具は、害虫を収容するカプセルとカプセル内部に害虫を閉じ込めるための栓体とが別体に設けられていることから、害虫をカプセル内部に収容した後、電気掃除機が何らかの原因（故障、電源コードが外れる等）で作動しなくなった場合には、カプセル内部に収容した害虫が外に逃げてしまうという問題が生じる。すなわち、この場合、電気掃除機の吸引力で該栓体を該カプセルの開口部に吸引できず、害虫をカプセル内部に閉じ込めることができない。
【０００８】
また、特許文献１に記載されている吸引捕虫機の補助具では、カプセル内部に害虫を捕獲した後、電気掃除機などの吸引機の吸引力によって、栓体をカプセルの開口部に嵌着するものとしているが、これでは、該吸引力が停止された場合（電気掃除機などの吸引機をオフにする等）、栓体がカプセルの開口部から外れてしまうおそれがあり、害虫がカプセル内部から逃げ出してしまうという問題が生じる（結果、害虫が捕虫筒から逃げ出してしまう）。
【０００９】
そして、特許文献１に記載されている吸引捕虫機の補助具では、害虫をカプセル内部に閉じ込めた後、カプセルを捕虫筒から取り出して、該カプセルをゴミ入れ容器などに投棄するものとしているが、該カプセルの底には複数個の小さい穴が穿設されているため、該カプセルをゴミ入れ容器などに投棄した場合には、該複数個の穴より、害虫の臭いが漂ってしまい、捕獲者の気分を害してしまうという問題が生じる。また、このような害虫の臭いは、他の害虫をおびき寄せてしまうという問題もある。
【００１０】
さらに、特許文献１に記載されている吸引捕虫機の補助具は、補虫筒を電気掃除機などの吸引機のホースに装着することを前提するものであるが、該補虫筒のサイズが電気掃除機などの吸引機のホースのサイズと適合しない場合には、該吸引捕虫機の補助具を使用することができないという問題がある。
【００１１】
加えて、特許文献１に記載されている吸引捕虫機の補助具は、補虫筒及びカプセルが透明もしくは半透明なプラスチックなどからなり、捕獲した害虫を外部から目視で確認できるようにしているため、捕獲者が害虫又は害虫の死骸の不気味さから、気分を害してしまうという問題が生じていた。
【００１２】
そこで、本発明に係る補虫器具は、上記点に鑑みてなされたものであり、一度捕獲した害虫を確実に外に逃がさないよう構成し、また、該補虫器具のサイズと電気掃除機などの吸引機のホースのサイズとが適合しない場合でも、効率よく害虫又は害虫の死骸を除去することができるとともに、捕獲者が害虫又は害虫の死骸の不気味さから、気分を害さず、害虫の捕獲作業を行えることを目的としてなされたものである。
【課題を解決するための手段】
【００１３】
請求項１の発明に係る補虫器具は、両端が開口しテーパ状に形成してなる筒体と、該筒体の内部に装着される収容部と口部を有する収容体であって、該収容部には複数の孔が設けられており、該口部には開閉弁が形成されている収容体とを備えることを特徴とする。
【００１４】
また、請求項２の発明に係る補虫器具は、請求項１に記載の発明に係る補虫器具において、該筒体の両端の縁部のそれぞれに対向する膨出部が設けられていることを特徴としている。
【００１５】
さらに、請求項３の発明に係る補虫器具は、請求項２に記載の発明に係る補虫器具において、該膨出部が円弧状に形成されるとともに、該筒体の両端部近傍に該膨出部によって該筒体の開口部を閉塞可能にする折り込み線が設けられていることを特徴とする。
【００１６】
加えて、請求項４の発明に係る補虫器具は、請求項１乃至３のいずれかに記載の発明に係る補虫器具において、該筒体が非透明体からなることを特徴とするものである。
【００１７】
最後に、請求項５の発明に係る補虫器具は、請求項１乃至４のいずれかに記載の発明に係る補虫器具において、該開閉弁が三角形状であって、該収容体の口部周縁に放射状に設けられていることを特徴とする。
【発明の効果】
【００１８】
請求項１に記載の発明は、該筒体がテーパ状にて形成されていることから、あらゆるタイプの電気掃除機等の吸引機のホースに接続可能となる。また、本発明では、該筒体の両端部が開口し、該筒体の内部に装着される収容体の収容部が複数の孔を設けてなることから、電気掃除機等の吸引力により、害虫又は害虫の死骸を該収容体内部に容易に捕獲することができる。さらに、本発明では、開閉弁を該収容体の口部に形成してなることから、害虫を該収容体内部に捕獲するのと同時に、害虫を該収容体内部に閉じ込めることが可能となる。
【００１９】
また、請求項２に記載の発明では、該筒体の両端の縁部のそれぞれに対向する膨出部が設けられていることから、捕獲者は、害虫又は害虫の死骸を該収容体内部に捕獲した後、該筒体の両端部を折り込むことで、該筒体の開口部を閉塞することができる（該筒体を封ずる）。これにより、本発明では、捕獲した害虫又は害虫の死骸をより確実に該筒体内部に閉じ込めることが可能となる。また、本発明では、該筒体をゴミ入れ容器などに投棄した場合でも、該収容部に設けられる複数の孔から害虫の臭いが漂うことがなく、捕獲者は気分を害さず安心して害虫又は害虫の死骸を処分することができる。さらに、本発明では、このような害虫の臭いから、他の害虫をおびき寄せてしまうという問題もない。加えて、本発明では、電気掃除機等の吸引機が存在しない場合でも（該筒体を電気掃除機等の吸引機のホースに接続できない場合）、捕獲者は、該筒体の膨出部を利用して、害虫又は害虫の死骸をすくい上げることができる。これにより、捕獲者は、害虫又は害虫の死骸を該筒体内部に収容できることから、該筒体が電気掃除機等の吸引機のホースに接続できない場合でも、容易に害虫又は害虫の死骸を捕獲することが可能となる。
【００２０】
さらに、請求項３に記載の発明では、該膨出部が円弧状に形成されている。このため、該膨出部は、該筒体の両端の縁部の形状に合わせて該筒体の開口部を閉塞することができることから、本発明では、該筒体をより確実に封ずることができる。また、本発明では、該筒体の両端部近傍に該膨出部によって該筒体の開口部を閉塞可能にする折り込み線が設けられていることから、捕獲者は、害虫又は害虫の死骸を該収容体内部に捕獲した後、該折り込み線に沿って、容易に該筒体の両端部を折り込むことができる（より容易に該筒体を封ずることができる）。
【００２１】
加えて、請求項４に記載の発明では、該筒体を非透明体によって構成し、捕獲した害虫又は害虫の死骸を外部から目視で確認できないようにしているため、捕獲者が害虫又は害虫の死骸の不気味さから、気分を害してしまうということもない。
【００２２】
最後に、請求項５に記載の発明では、三角形状に形成された開閉弁が、該収容体の口部周縁に放射状に設けられていることから、害虫を該収容体内部に捕獲し易くするとともに、捕獲した害虫を該収容体から逃げにくくするという効果を奏する。
【図面の簡単な説明】
【００２３】
【図１】本発明の実施例１に係る補虫器具の筒体を一方の端部の側から見た斜視図である。
【図２】本発明の実施例１に係る補虫器具の筒体を他方の端部の側から見た斜視図である。
【図３】本発明の実施例１に係る補虫器具の筒体の左側面図である。
【図４】本発明の実施例１に係る補虫器具の筒体の右側面図である。
【図５】本発明の実施例１に係る補虫器具の収容体の側面図である。
【図６ａ】本発明の実施例１に係る補虫器具の収容体の平面図である。
【図６ｂ】本発明の実施例１に係る補虫器具の開閉弁に通過路が形成されている平面図である。
【図７】本発明の実施例１に係る補虫器具の収容体の斜視図である。
【図８】本発明の実施例１に係る補虫器具の筒体内部に収容体が装着された斜視図である。
【図９】本発明の実施例１に係る補虫器具を電気掃除機などの吸引機のホースに接続した側面図である。
【図１０】本発明の実施例１に係る補虫器具を用いて、害虫又は害虫の死骸を吸引している状態を表す斜視図である。
【図１１】本発明の実施例１に係る補虫器具の収容体に害虫又は害虫の死骸が収容されている状態を表す側面図である。
【図１２】本発明の実施例１に係る補虫器具の筒体の開口部を閉塞状態にした斜視図である。
【図１３】本発明の実施例１に係る補虫器具の筒体で害虫又は害虫の死骸をすくい上げる状態を示す斜視図である。
【図１４】開閉弁の変形例を示す平面図である。
【発明を実施するための形態】
【００２４】
以下、図面を用いて本発明の詳細を説明する。
【実施例１】
【００２５】
まず、図１から図７を用いて、本発明の実施例１に係る補虫器具１００の形態について説明する。
【００２６】
本発明の実施例１に係る補虫器具１００は、筒体２００及び収容体３００を備える。まず、筒体２００の形態について説明する。
【００２７】
図１は、本発明の実施例１に係る補虫器具１００の筒体２００を一方の端部の側から見た斜視図であり、図２は、本発明の実施例１に係る補虫器具１００の筒体２００を他方の端部の側から見た斜視図である。また、図３は、本発明の実施例１に係る補虫器具１００の筒体２００の左側面図であり、図４は、本発明の実施例１に係る補虫器具１００の筒体２００の右側面図である。
【００２８】
筒体２００は、図１から図４に示すとおり、両端が開口し、端部１から端部２にかけて拡開するようにテーパ状に形成されている。
【００２９】
筒体２００の長手方向の長さは、概ね１５ｃｍとすることが好ましい。（１）後述の収容体３００を筒体２００の内部に装着する必要があること、（２）万が一、害虫８０（図１１）が収容体３００から逃げ出した場合でも、害虫８０を筒体２００に閉じ込めておく必要があることを考慮してのことである。
【００３０】
筒体２００の両端の口部３、４は、端部２側の口部４を外径約５．５ｃｍ、端部１側の口部３を外径約２．５ｃｍに形成する（すなわち、筒体２００をテーパ状に形成する）。これにより、筒体２００の中間部５の外径は概ね４ｃｍとなり、中間部５の外径と一般的な電気掃除機等の吸引機のホースの外径とは一致することになる。すなわち、筒体２００は、あらゆるタイプの電気掃除機等の吸引機のホースに接続可能となる。
【００３１】
また、筒体２００の両端の縁部８、９にそれぞれ膨出部６ａ、６ｂ、７ａ、７ｂを設ける。膨出部６ａ、６ｂ、７ａ、７ｂは円弧状とし、膨出部６ａと６ｂ、７ａと７ｂを対向するよう形成し、筒体２００の両端の縁部８、９を略くちばし状に構成する（図１及び図２）。また、膨出部６ａ、６ｂ、７ａ、７ｂは、後述のとおり、筒体２００の開口部１０、１１を閉塞する役割を有することから、筒体２００の両端の縁部８、９近傍には、円弧状からなる折り込み線１２ａ、１２ｂ、１３ａ、１３ｂを設けることが好ましい（図３及び図４）。このように膨出部６ａ、６ｂ、７ａ、７ｂ及び折り込み線１２ａ、１２ｂ、１３ａ、１３ｂを設けることで、膨出部６ａ、６ｂ、７ａ、７ｂにより筒体２００の開口部１０、１１を容易かつ確実に閉塞することができる（筒体２００を封ずることが可能となる）。
【００３２】
さらに、筒体２００は、非透明体によって構成するとよい。このようにすることで、捕獲した害虫８０又は害虫の死骸９０を外部から目視で確認することはできないため、捕獲者が害虫８０又は害虫の死骸９０の不気味さから、気分を害してしまうということはなくなる。
【００３３】
筒体２００は、紙、プラスチック等の可燃性の素材より構成することが好ましい。後述のとおり、筒体２００に害虫８０又は害虫の死骸９０を捕獲した後、補虫器具１００を可燃ゴミとして容易に処分できるようにするためである。
【００３４】
次に、収容体３００の形態について説明する。図５は、本発明の実施例１に係る補虫器具１００の収容体３００の側面図であり、図６ａ及び図６ｂは、本発明の実施例１に係る補虫器具１００の収容体３００の平面図である。収容体３００は、収容部１４及び口部１５を有する。
【００３５】
収容部１４には複数の孔１４ａが設けられる。具体的には、図５に示すとおり、収容部１４を複数の編目（孔１４ａ）を有するネット地から形成するとよい。これにより、収容部１４の形状は変形自在であることから、収容体３００を筒体２００の内部に装着し易くなるとともに、捕獲した害虫８０の動きを抑制することができる（害虫８０が収容体３００から脱出し難くなる）。
【００３６】
収容部１４の長手方向の長さは概ね７ｃｍとする。（１）収容部１４に害虫８０又は害虫の死骸９０を収容するスペースを十分に確保すること、（２）収容体３００を筒体２００の内部に納める必要があること（収容部１４が筒体２００の端部１からはみ出した場合、膨出部６ａ、６ｂにより筒体２００の開口部１０を閉塞することができないため）を考慮してのことである。
【００３７】
口部１５の外径は、概ね４ｃｍとする。これにより、口部１５の外径は筒体２００の中間部５の外径と一致するため、収容体３００を筒体２００の内部に確実に装着することができる（筒体２００はテーパ状に形成されているため、口部１５は筒体２００の中間部５付近で保持される）。
【００３８】
また、図６ａに示すように、口部１５の周縁１６には、三角形状からなる８つの開閉弁１７ａ〜１７ｈを放射状に設ける。開閉弁１７ａ〜１７ｈは弾性素材から形成する。具体的には、開閉弁１７ａ〜１７ｈを薄いゴム片で形成するとよい。後述のとおり、害虫８０又は害虫の死骸９０を収容体３００内部へ収容するためには、電気掃除機等の吸引力により、開閉弁１７ａ〜１７ｈの各先端部１８を筒体２００の端部１方向へ向けて折れ曲がる格好とする必要があるからである（害虫８０又は害虫の死骸９０を収容体３００内部へ収容するための通過路１９を形成するため。図６ｂ）。
【００３９】
次に、図８から図１３を用いて、本発明の実施例１に係る補虫器具１００の使用方法について説明する。本発明の使用方法としては、（１）電気掃除機等の吸引機のホースに接続して使用する方法と（２）筒体２００で直接に（電気掃除機等の吸引機のホースに接続しないで）害虫８０又は害虫の死骸９０をすくい上げる方法がある。まず、電気掃除機等の吸引機のホースに接続して使用する方法について説明する。
【００４０】
最初に、収容体３００を筒体２００の端部２から筒体２００内部に挿入する。このとき、収容体３００の口部１５の外径は（概ね４ｃｍ）、筒体２００の中間部５の外径（概ね４ｃｍ）と概ね一致するため、収容体３００は筒体２００の中間部５付近で保持（装着）される（図８）。
【００４１】
続いて、筒体２００を端部１から、電気掃除機４００のホース部２０に挿入する。このとき、筒体２００の中間部５の外径は（概ね４ｃｍ）、電気掃除機４００のホース部２０の外径（概ね４ｃｍ）と概ね一致するため、筒体２００は中間部５付近でホース部２０と保持（接続）される（図９）。
【００４２】
そして、電気掃除機４００の電源を入れ、筒体２００の端部２から害虫８０又は害虫の死骸９０を収容体３００内部へ吸引する。このとき、収容体３００の収容部１４には複数の編目（孔１４ａ）があり、また、開閉弁１７ａ〜１７ｈの各先端部１８は、電気掃除機４００の吸引力により、筒体２００の端部１方向へ向けて折れ曲がる格好となり通過路１９を形成することから、電気掃除機４００の吸引力は、筒体２００の端部２付近で衰えることはない。
【００４３】
筒体２００の端部２から吸引された害虫８０又は害虫の死骸９０は、電気掃除機４００の吸引力によって、開閉弁１７ａ〜１７ｈに形成される通過路１９を通り、最終的に収容部１４内部に収容される（図１０及び図１１）。
【００４４】
その後、電気掃除機４００の電源を切り、筒体２００を電気掃除機４００のホース部２０から取り外す。このとき、電気掃除機４００の吸引力は停止されているため、開閉弁１７ａ〜１７ｈの各先端部１８は通過路１９を閉塞する格好となる（開閉弁１７ａ〜１７ｈは、弾性素材（ゴム片）からなるため、電気掃除機４００の吸引力が停止されれば、弾性力によりもとの形状に復元される）。開閉弁１７ａ〜１７ｈは、収容体３００の口部を閉塞するため、収容体３００内部に収容された害虫８０又は害虫の死骸９０は、収容体３００内部に閉じ込められる（図１１）。
【００４５】
次に、筒体２００の両端の縁部８、９にある膨出部６ａ、６ｂ、７ａ、７ｂにより、筒体２００の開口部１０、１１を閉塞する。これにより、さらに害虫８０又は害虫の死骸９０を筒体２００（収容体３００）内部に閉じ込めることが可能となる。なお、筒体２００の両端の縁部８、９近傍には、円弧状からなる折り込み線１２ａ、１２ｂ、１３ａ、１３ｂが設けられていることから、膨出部６ａ、６ｂ、７ａ、７ｂを、それぞれ、折り込み線１２ａ、１２ｂ、１３ａ、１３ｂに沿って内側に折り込むとよい（図１２）。また、その際、膨出部６ａと６ｂ、膨出部７ａと７ｂとをテープ等で固定してもよい。これにより、より筒体２００の閉塞状態を維持することが可能となる（筒体２００の封止状態を維持できる）。
【００４６】
最後に、補虫器具１００を可燃ゴミとして、焼却処分すれば、容易に捕獲した害虫８０又は害虫の死骸９０を除去することができる。この際、筒体２００は封じられているため（筒体２００の開口部１０、１１は、膨出部６ａ、６ｂ、７ａ、７ｂにより閉塞されている）、収容部１４に設けられる複数の孔１４ａ（複数の編目）から、害虫８０又は害虫の死骸９０の臭いが漂うことはなく、捕獲者は気分を害さず安心して害虫８０又は害虫の死骸９０を処分することができる。また、このような臭いから、他の害虫をおびき寄せてしまうという問題もない。
【００４７】
次に、筒体２００で直接に害虫８０又は害虫の死骸９０をすくい上げる方法について説明する。
【００４８】
電気掃除機等の吸引機に本発明の実施例１に係る補虫器具１００を接続できない場合には、筒体２００で直接に害虫８０又は害虫の死骸９０をすくい上げる。
【００４９】
その際、まず、筒体２００の開口部１０を膨出部６ａ及び６ｂにより閉塞する。そして、筒体２００の膨出部７ａ若しくは７ｂを用いて、直接に害虫８０又は害虫の死骸９０をすくい上げる（図１３）。続いて、筒体２００の開口部１１を膨出部７ａ及び７ｂにより閉塞し、筒体２００を封ずる。最後に、筒体２００を可燃ゴミとして、焼却処分する（筒体２００が紙、プラスチック等の可燃性の素材より構成される場合）。
【００５０】
このように、本発明では、筒体２００が端部１から端部２にかけて拡開するテーパ状にて形成されていることから、あらゆるタイプの電気掃除機等の吸引機のホースに接続可能となる。
【００５１】
また、本発明では、筒体２００の両端部１、２が開口し、筒体２００の内部に装着される収容体３００の収容部１４が複数の孔１４ａ（編目）を設けてなることから、電気掃除機等の吸引力により、害虫８０又は害虫の死骸９０を収容体３００内部に容易に捕獲することができる。
【００５２】
さらに、本発明では、三角形状からなる開閉弁１７ａ〜１７ｈを収容体３００の口部１５の周縁１６に放射状に形成してなることから、害虫８０又は害虫の死骸９０を収容体３００内部に捕獲するのと同時に、害虫８０又は害虫の死骸９０を収容体３００内部に閉じ込めることが可能となる。
【００５３】
加えて、本発明では、円弧状に形成された膨出部６ａ、６ｂ、７ａ、７ｂを折り込み線１２ａ、１２ｂ、１３ａ、１３ｂに沿って内側に折り込むことで、筒体２００の開口部１０、１１を閉塞でき（筒体２００を封ずることができる）、捕獲した害虫８０又は害虫の死骸９０をより確実に筒体２００（収容体３００）内部に閉じ込めることができる。また、本発明では、筒体２００をゴミ入れ容器などに投棄した場合でも、収容部１４に設けられる複数の孔１４ａ（編目）から害虫の臭いが漂うことがなく、捕獲者は気分を害さず安心して害虫８０又は害虫の死骸９０を処分することができるとともに、このような害虫の臭いから、他の害虫をおびき寄せてしまうという問題もない。
【００５４】
さらに、本発明は、筒体２００が、非透明体によって構成されることから、捕獲した害虫８０又は害虫の死骸９０を外部から目視で確認できないようにしているため、捕獲者が害虫８０又は害虫の死骸９０の不気味さから、気分を害してしまうということもない。
【００５５】
また、本発明は、電気掃除機等の吸引機に補虫器具１００を接続できない場合でも、筒体２００で直接に害虫８０又は害虫の死骸９０をすくい上げることで、捕獲者は容易に害虫又は害虫の死骸を捕獲することができる。
【００５６】
最後に、本発明の筒体２００が紙より構成される場合には、補虫器具１００をコンパクトに折りたたみ収納することができる。具体的には、紙より構成される筒体２００は、これを平たく折りたたむことができるとともに、ネット地より形成される収容部１４は、これを口部１５の内部に小さく折りたたむことができる。このため、補虫器具１００が未使用のときには、補虫器具１００全体の形状を使用時の形状よりもコンパクトにすることが可能になることから、より少ないスペースに多く補虫器具１００を収納することができることになる（店舗の商品棚に補虫器具１００を陳列する場合には、より少ないスペースに多くの補虫器具１００（商品）を陳列することができる）。なお、補虫器具１００を使用する場合には、平たく折りたたまれている筒体２００を円筒状にし、収容部１４を口部１５の内部から引き延ばせばよい。
【００５７】
なお、本実施例では、筒体２００の長手方向の長さを概ね１５ｃｍとしているが、（１）収容体３００を筒体２００の内部に装着でき、かつ、（２）万が一、害虫８０が収容体３００から逃げ出した場合でも、害虫８０を筒体２００に閉じ込めることができるのであれば、筒体２００の長手方向の長さは、この長さに限られるものではない。例えば、筒体２００をコンパクトに構成したいのであれば、筒体２００の長手方向の長さを１０ｃｍとする等、収容体３００が収容できる長さであれば問題ない。また、捕獲者が害虫８０又は害虫の死骸９０との距離を取りたい場合には、例えば、筒体２００の長手方向の長さを２０ｃｍにすることもできる。
【００５８】
また、本実施例では、筒体２００の口部４を外径約５．５ｃｍとしているが、一度に複数の害虫８０又は害虫の死骸９０を捕獲したい場合には、その外径を例えば約７ｃｍにする等、さらに大きくすることも可能である。この際、収容体３００の口部１５の外径を筒体２００の中間部５付近の外径に概ね一致させる必要がある。収容体３００を筒体２００内部に保持（装着）する必要があるからである。なお、一度に複数の害虫８０又は害虫の死骸９０を捕獲したいのであれば、同時に収容体３００の収容部１４の大きさもサイズ変更する必要がある。具体的には、（１）収容部１４に複数の害虫８０又は害虫の死骸９０を収容するスペースを十分に確保すること及び（２）収容体３００を筒体２００の内部に納める必要があることを考慮して、ここでは、収容部１４の長手方向の長さを概ね８ｃｍ〜１０ｃｍとするとよい（この場合の筒体２００の長手方向の長さは、１６ｃｍ〜２０ｃｍは必要となる）。
【００５９】
本実施例では、筒体２００を端部１から端部２にかけて拡開するようテーパ状にて形成しているが、筒体２００の一部分のみをテーパ状に形成してもよい（例えば、筒体２００の中間部５付近のみをテーパ状に形成し、その余の部分を直線状に形成する）。このとき、収容体３００は、筒体２００がテーパ状に形成されている部分で保持（装着）されるとともに、筒体２００は、テーパ状に形成されている部分で電気掃除機４００のホース部２０に接続可能となる。
【００６０】
さらに、本実施例では、筒体２００の両端の縁部８、９にそれぞれ円弧状の膨出部６ａ、６ｂ、７ａ、７ｂを設けてなるが、（１）筒体２００の開口部１０、１１を閉塞できるものであり（筒体２００を封ずる）、かつ、（２）膨出部７ａ若しくは７ｂを用いて、直接に害虫８０又は害虫の死骸９０をすくい上げることができるのであれば、膨出部６ａ、６ｂ、７ａ、７ｂを円弧状に限定する必要はない。例えば、膨出部６ａ、６ｂ、７ａ、７ｂを筒体２００の両端の縁部８、９を底辺とした三角形状のものとしてもよい。
【００６１】
加えて、本実施例では、筒体２００の両端の縁部８、９にそれぞれ円弧状の膨出部６ａ、６ｂ、７ａ、７ｂを設けてなるが、筒体２００の両端の縁部８、９を円形に開口させてもよい。この場合、収容体３００内部に害虫８０又は害虫の死骸９０を収容した後は、筒体２００の両端の縁部８、９を内側に折り込むことで、筒体２００の開口部１０、１１を閉塞する。また、その際、筒体２００の両端の縁部８、９近傍であって、筒体２００の周側面に直線からなる折り込み線を設けておくと、筒体２００の両端の縁部８、９を内側に折り込み易くなる。なお、このとき、筒体２００の両端の縁部８、９をテープ等で固定すると、より筒体２００の開口部１０、１１の閉塞状態を維持することができる（筒体２００の封止状態を維持できる）。
【００６２】
そして、本実施例では、筒体２００が紙、プラスチック等の可燃性の素材より構成されているが、筒体２００の強度性及び耐久性に主眼をおけば、筒体２００を不燃性からなるアルミニウムによって構成してもよい。
【００６３】
さらに、本実施例では、収容部１４が複数の編目（孔１４ａ）を有するネット地から形成されているが、収容部１４の形状が変形自在であることから、（１）収容体３００が筒体２００の内部に装着し易いものであり、かつ、（２）捕獲した害虫８０の動きを抑制することができるものであれば、他の素材、例えば、ビニール素材の袋体から形成することも可能である。この際、袋体には、複数の孔を設けておく必要があることは勿論のことである。また、収容部１４自体を例えばプラスチックの容器で形成することも可能である。この場合、収容部１４の形状は変形自在とはならないが、テーパ状に形成される筒体２００の形状に沿う形で収容部１４を形成すれば、収容体３００は筒体２００の内部に装着可能となる。このとき、プラスチックからなる収容部１４に複数の孔を設けておくことは勿論のことである。なお、本実施例では、筒体２００と収容体３００を別体に設けているが、これらを予め一体に形成してもよい。
【００６４】
最後に、本実施例では、三角形状からなる８つの開閉弁１７ａ〜１７ｈを口部１５の周縁１６に放射状に設けてなるが、電気掃除機等の吸引力により、害虫８０又は害虫の死骸９０を収容体３００内部へ収容するための通過路１９を形成できるのであれば、他の形状からなる開閉弁を採用することも可能である。例えば、図１４に示すように、開閉弁の形状を２つの半円（２１ａ、２１ｂ）から形成することが挙げられる。また、開閉弁１７ａ〜１７ｈは、薄いゴム片から形成されているが、電気掃除機等の吸引力により通過路１９を形成するものであって、電気掃除機等の吸引力が停止された場合に、通過路１９を閉塞するものであれば、他の素材、例えば、合成樹脂、厚紙等から形成することも可能である。
【００６５】
このように、本実施例では、本発明の趣旨を逸脱しない範囲で種々の変更が可能であることはいうまでもない。
【符号の説明】
【００６６】
１      端部
２      端部
３      口部
４      口部
５      中間部
６ａ    膨出部
６ｂ    膨出部
７ａ    膨出部
７ｂ    膨出部
８      縁部
９      縁部
１０    開口部
１１    開口部
１２ａ  折り込み線
１２ｂ  折り込み線
１３ａ  折り込み線
１３ｂ  折り込み線
１４    収容部
１４ａ  孔
１５    口部
１６    周縁
１７ａ〜１７ｈ  開閉弁
１８    先端部
１９    通過路
２０    ホース部
２１ａ  開閉弁
２１ｂ  開閉弁
８０    害虫
９０    害虫の死骸
１００  補虫器具
２００  筒体
３００  収容体
４００  電気掃除機
【図１】
2015084665.tif 000003
【図２】
2015084665.tif 000004
【図３】
2015084665.tif 000005
【図４】
2015084665.tif 000006
【図５】
2015084665.tif 000007
【図６ａ】
2015084665.tif 000008
【図６ｂ】
2015084665.tif 000009
【図７】
2015084665.tif 000010
【図８】
2015084665.tif 000011
【図９】
2015084665.tif 000012
【図１０】
2015084665.tif 000013
【図１１】
2015084665.tif 000014
【図１２】
2015084665.tif 000015
【図１３】
2015084665.tif 000016
【図１４】
2015084665.tif 000017